(57)【特許請求の範囲】
【請求項１】
鉄心と、この鉄心に巻回された巻線と、前記鉄心および巻線を収納しているタンクとを備え、前記巻線から引き出されたリード線が、タンク側壁に設けられているリード線引き出し穴から外部へ引き出されるように形成されている静止誘導電器において、
前記タンク側壁の内面で、かつ前記リード線引き出し穴の周囲およびリード線引き出し穴の上方部全面およびリード線引出し穴の下方部全面に、非磁性でかつ良導電性の一体物の磁気シールド板を施すとともに、その他のタンク内壁面には、磁性の磁気シールド板を施すようにしたことを特徴とする静止誘導電器。
【請求項２】
鉄心と、この鉄心に巻回された巻線と、前記鉄心および巻線を収納しているタンクとを備え、前記巻線から引き出されたリード線が、タンク側壁に設けられているリード線引き出し穴から外部へ引き出されるように形成されている静止誘導電器において、
前記タンク側壁の内面で、かつ前記リード線引き出し穴の周囲およびリード線引き出し穴の上方部全面およびリード線引出し穴の下方部全面に、非磁性でかつ良導電性の一体物の磁気シールド板を施すとともに、その他のタンク内壁面には、磁性の磁気シールド板を施こし、かつ前記良導電性の磁気シールド板とこの良導電性の磁気シールド板に隣接している前記磁性の磁気シールド板とを磁気的に結合するように形成したことを特徴とする静止誘導電器。
【請求項３】
前記良導電性の磁気シールド板と磁性の磁気シールド板との結合は、前記良導電性の磁気シールド板の端縁と前記磁性の磁気シールド板の端縁が重ね合わされて磁気的に結合されたものであり、前記良導電性の磁気シールド板がタンク壁面側となるように前記磁性の磁気シールド板と重ね合わされたものである請求項２記載の静止誘導電器。
【請求項４】
鉄心と、この鉄心に巻回された巻線と、前記鉄心および巻線を収納しているタンクとを備え、前記巻線から引き出されたリード線が、タンク側壁に設けられているリード線引き出し穴から外部へ引き出されるように形成されている静止誘導電器において、
前記タンク側壁の内面の前記リード線引き出し穴の周囲およびこのリード線引き出し穴の周囲に連なる上方部と下方部に、非磁性でかつ良導電性の一体物の磁気シールド板を施すとともに、その他のタンク内壁面には、磁性の磁気シールド板を施すようにしたことを特徴とする静止誘導電器。
【請求項５】
前記リード線引き出し穴の内周面に、前記良導電性の磁気シールド板に電気的に結合された良導電性で円筒状をなした磁気シールドが施されてなる請求項１，２，３または４記載の静止誘導電器。
【発明の詳細な説明】
【０００１】
【発明の属する技術分野】
本発明は変圧器やリアクトル等の静止誘導電器に係わり、特に巻線から引出されたリード線が、タンク側壁に設けられているリード線引き出し穴を通して外部に引き出されるように形成されている静止誘導電器に関するものである。
【０００２】
【従来の技術】
近年、変圧器などは増々大容量化される傾向にあり、この大容量化に伴いタンク壁に侵入する巻線からの漏れ磁束の量も増加し、タンク壁での損失の増大，またタンク壁が局部的に著しい温度上昇を生ずる恐れがある。この対策の一つとして、一般にはタンク壁の内面に珪素鋼帯などの磁気シールド板を施し、巻線からの漏れ磁束のタンク壁への侵入およびタンク外部への漏れを抑制するようにしている。
【０００３】
特に、大容量のもので、タンク側壁にリード線引き出し穴を有する静止誘導電器においては、このリード線引き出し穴がリード線との絶縁の関係上、大きな径を有する貫通穴となることから、このリード線引き出し穴からタンク外部へ大量の磁束が漏れ易くなる。これを抑制するために、リード線引き出し穴の周囲に非磁性で良導電性の磁気シールド板を施こし、漏れ磁束に反発する磁束を発生させ、漏れ磁束を阻止するようにしている。
【０００４】
すなわち、巻線からの漏れ磁束が穴周辺部に集中しても良導電性の磁気シールド板にうず電流が流れ、そのうず電流で発生する反作用磁界により漏れ磁束を反発してリード線引き出し穴部に侵入する漏れ磁束を阻止するようにしている。なお、この場合、リード線引き出し穴部以外のタンク側壁の内面には、珪素鋼帯など磁性の磁気シールド板が施こされている。
【０００５】
なお、この種の静止誘導電器における磁気シールドに関連するものとしては、例えば特開昭５４−１０５７２８号公報あるいは特開昭６２−２９５４０８号公報などが挙げられる。
【０００６】
【発明が解決しようとする課題】
このようにタンク側壁の内面に磁気的なシールド板が施こされた静止誘導電器，特にタンク側壁の内面に珪素鋼帯などの磁性の磁気シールド板が施こされるとともに、リード線引き出し穴の周囲に非磁性で良導電性の磁気シールド板が施こされた静止誘導電器であると、タンク側壁の内面の磁性磁気シールド板により、タンク側壁への漏れ磁束の侵入は抑制され、またリード線引き出し穴部においては、良導電性の磁気シールド板を流れるうず電流が形成する反作用磁界により、リード線引き出し穴部からの漏れ磁束も抑制される。しかしながら、この度の綿密な実験の結果、この構成では、漏れ磁束の対策としては有効であるが、反面リード線引き出し穴部におけるタンク側壁がうず電流により局部的に著しく過熱してしまう恐れがあることが明らかとなったのである。
【０００７】
すなわち、この関係をリード線引き出し穴部のタンク側壁を示した図３を用いて説明すると、タンク側壁１ａにはリード線引き出し穴５があり、そのリード線引き出し穴の周囲には非磁性で良導電性の磁気シールド板３Ａ、また、磁性の磁気シールド板１Ａ，２Ａが設けられている。
【０００８】
シールド板の作用は、磁性の磁気シールド板２Ａを流れてきた漏れ磁束１０が非磁性の磁気シールド板３Ａに侵入しようとすると、非磁性の磁気シールド板３Ａにうず電流が流れ、そのうず電流によって生ずる反作用磁界により漏れ磁束１０が反発されて磁性の磁気シールド板２Ａへ侵入することになる。そのとき、非磁性の磁気シールド板３Ａに図中実線で示すようなうず電流５０が流れる。
【０００９】
そのため、リード線引き出し穴５と磁性の磁気シールド板２Ａとの間の狭い範囲をうず電流が循環するように流れるため、リード線引き出し穴５の上下部分でうず電流の集中により温度上昇が生ずるということである。また、この構成では、タンク側壁１ａにリード線引き出し穴５が設けられる関係から、そのリード線引き出し穴５の上下に位置する磁性の磁気シールド板２Ａとリード線引き出し穴以外の磁気シールド板１Ａとでは形状が異なるため、数種類のシールド板１Ａ，２Ａを製作して組み合わせることになるので、その製造およびタンク側壁１ａへの取付け作業に多くの時間が費やされる恐れがある。
【００１０】
本発明はこれに鑑みなされたもので、その目的とするところは、製造および取付け作業を容易にして、リード線引き出し穴からの漏れ磁束を充分に抑制できることは勿論のこと、リード線引き出し穴周辺部が過熱することのないこの種の静止誘導電器を提供することにある。
【００１１】
【課題を解決するための手段】
すなわち本発明は、鉄心と、この鉄心に巻回された巻線と、前記鉄心および巻線を収納しているタンクとを備え、前記巻線から引出されたリード線が、タンク側壁に設けられているリード線引き出し穴から外部へ引き出されるように形成されている静止誘導電器において、前記タンク内壁面で、かつ前記リード線引き出し穴の周囲およびリード線引き出し穴の上方部全面およびリード線引き出し穴の下方部全面に、非磁性でかつ良導電性の磁気シールド板を施こすとともに、その他のタンク内壁面には、磁性の磁気シールド板を施こし所期の目的を達成するようにしたものである。
【００１２】
また、鉄心と、この鉄心に巻回された巻線と、前記鉄心および巻線を収納しているタンクとを備え、前記巻線から引出されたリード線が、タンク側壁に設けられているリード線引き出し穴から外部へ引き出されるように形成されている静止誘導電器において、前記タンク内壁面で、かつ前記リード線引き出し穴の周囲およびリード線引き出し穴の上方部全面およびリード線引き出し穴の下方部全面に、非磁性でかつ良導電性の磁気シールド板を施こすとともに、その他のタンク内壁面には、磁性の磁気シールド板を施こし、かつ前記良導電性の磁気シールド板とこの良導電性の磁気シールド板に隣接している磁性の磁気シールド板とを磁気的に結合するように形成したものである。
【００１３】
また、この場合、前記良導電性の磁気シールド板と磁性の磁気シールド板との結合を、前記良導電性の磁気シールド板の端縁と前記磁性の磁気シールド板の端縁が重なり合うように磁気的に結合したものである。また、前記良導電性の磁気シールド板の端縁と前記磁性の磁気シールド板端縁の重ね合わせ磁気的に結合を、前記良導電性の磁気シールド板が、タンク壁面側となるように磁気的に重ね合わさるようにしたものである。また、前記リード線引き出し穴の内周面に、前記良導電性の磁気シールド板に電気的に結合された良導電性で円筒状をなした磁気シールドを施こすようにしたものである。
【００１４】
すなわちこのように形成された静止誘導電器であると、タンク内壁面で、かつリード線引き出し穴の周囲に、非磁性でかつ良導電性の磁気シールド板を施こされていることから、従来同様巻線からの漏れ磁束が穴周辺部に集中しても良導電性の磁気シールド板により漏れ磁束が侵入する際に良導電性の磁気シールド板を流れるうず電流で発生する反作用磁界によって、穴周部に侵入する漏れ磁束は阻止されることは勿論、この良導電性の磁気シールド板は、リード線引き出し穴の周囲およびリード線引き出し穴の上方部全面およびリード線引き出し穴の下方部全面に施こされていることから、巻線からの漏れ磁束によるリード線引き出し穴上下部にうず電流が生じても、うず電流の流通回路はリード線引き出し穴の近傍および良導電性磁気シールド板の上，下端縁部の広範囲を流れる結果、従来のようにリード線引き出し穴の近傍部にうず電流の集中はなくなり、局部的な過熱が防止されるのである。
【００１５】
また、良導電性の磁気シールド板は、リード線引き出し穴の上方部全面およびリード線引き出し穴の下方部全面に施こされていることから、従来設けられていたリード線引き出し穴の上，下方部の磁性の磁気シールド板は不要となり、磁性の磁気シールド板の種類およびその取付け作業を減ずることができるのである。
【００１６】
【発明の実施の形態】
以下図示した実施例に基づいて本発明を詳細に説明する。図１（ａ）にはその静止誘導電器が断面で示され、また図１（ｂ）には、タンク内壁に設けられている磁気シールドをタンク内側から見た正面図が示されている。図中１がタンクであり、６が鉄心、３が鉄心に巻回されている巻線、４がこの巻線より引き出されたリード線、２が磁性の磁気シールド板、３０が良導電性の磁気シールド板である。
【００１７】
タンク１の壁面で、かつ巻線３に対向する部分には、リード線引き出し穴５が設けられており、巻線３から引出されたリード線４は、このリード線引き出し穴５を通してタンクの外部に引き出されるように形成されている。
【００１８】
前記タンク１の内壁面で、かつ前記リード線引き出し穴５の周囲およびリード線引き出し穴５の上方部全面およびリード線引き出し穴５の下方部全面には、電気抵抗率の小さい、例えば銅板やアルミニウム板の非磁性でかつ良導電性の磁気シールド板３０が施こされている。また、リード線引き出し穴５近傍以外のタンク１ａの内壁面には、磁性の磁気シールド板２が施こされている。
【００１９】
また、前記リード線引き出し穴５の内側面，すなわち内周面には、良導電性で円筒状をなした磁気シールド３０ａが施されている。この磁気シールド３０ａは、前記良導電性の磁気シールド板３０に電気的に結合されている。
【００２０】
前記タンク内壁面に施された良導電性の磁気シールド板３０とこの良導電性の磁気シールド板３０に隣接している磁性の磁気シールド板２とは、良導電性の磁気シールド板３０の端縁と前記磁性の磁気シールド板２の端縁が重ね合わされて磁気的に結合されている。なお、この場合、良導電性の磁気シールド板３０が、タンク側壁１ａと重ね合わされて結合されている。
【００２１】
かかる構成によれば、巻線３の上端あるいは下端からタンク側壁１ａに漏れてくる漏れ磁束１０のうちリード線引き出し穴５の上方あるいは下方に漏れてくる漏れ磁束１０は、図１（ｂ）に示されている様に、タンク側壁１ａに侵入しようとしてもタンク側壁１ａに取付けた良導電性の磁気シールド板３０にうず電流（図示せず）が流れ、このうず電流によって生ずる反作用磁界（図示せず）により巻線３からの漏れ磁束１０を反発し、その漏れ磁束１０が隣接する磁性の磁気シールド板２を経由して巻線３へ戻って行くために、タンク側壁１ａに設けられたリード線引き出し穴５の周辺部への漏れ磁束１０の侵入を阻止することが可能となり、また、良導電性の磁気シールド板３０は、リード線引き出し穴５の周囲およびリード線引き出し穴５の上方部全面およびリード線引き出し穴５の下方部全面に施こされていることから、巻線３からの漏れ磁束１０によるリード線引き出し穴５の上下部にうず電流が生じても、うず電流の流通回路はリード線引き出し穴５の近傍および良導電性磁気シールド板３０の上，下端縁部の広範囲を流れる結果、リード線引き出し穴５の近傍部にうず電流の集中はなくなり、リード線引き出し穴５の近傍部における局部的な過熱は防止される。
【００２２】
また、良導電性の磁気シールド板３０は、リード線引き出し穴５の上方部全面およびリード線引き出し穴５の下方部全面に施こされていることから、従来設けられていたリード線引き出し穴５の上，下方部の磁性の磁気シールド板２Ａは不要となり、磁性の磁気シールド板２Ａの種類およびその取付け作業を減ずることが可能となる。
【００２３】
図２は本発明の他の実施例を示すもので、この図は、磁気シールドを装着した三相変圧器をタンクの内側から見た図である。なお、この図で図１に示す部分と同一のものは同符号を使用している。
【００２４】
図から判るようにタンク側壁１ａに３つのリード線引き出し穴５が設けられ、タンク側壁１ａでリード線引き出し穴５の周辺部には良導電性の磁気シールド板３０をリード線引き出し穴５の内側まで巻き込んで配置し、リード線引き出し穴５の周辺部以外には磁性の磁気シールド板２で磁気的に結合した構成となっている。
【００２５】
かかる構成によれば、前述実施例と同様に、巻線３（図示せず）から三相の漏れ磁束１０がタンク側壁１ａに侵入しようとしても各々の巻線３（図示せず）と対向するタンク側壁１ａに取付けた良導電性の磁気シールド板３０にうず電流が流れ、このうず電流によって生ずる反作用磁界により巻線３からの漏れ磁束１０を反発し、その漏れ磁束１０が隣接する磁性の磁気シールド板２を経由して巻線３へ戻って行くために、タンク側壁１ａに設けられたリード線引き出し穴５の周辺部への漏れ磁束１０の侵入を阻止することが可能となり、かつ、特に各相毎に設けられている良導電性の磁気シールド板３０は、リード線引き出し穴５の周囲およびリード線引き出し穴５の上方部全面およびリード線引き出し穴５の下方部全面に施こされていることから、巻線３からの漏れ磁束１０によるリード線引き出し穴５の上下部にうず電流が生じても、うず電流の流通回路はリード線引き出し穴５の近傍および良導電性磁気シールド板３０の上，下端縁部の広範囲を流れる結果、リード線引き出し穴５の近傍部にうず電流の集中はなくなり、リード線引き出し穴５の近傍部における局部的な過熱は防止される。
【００２６】
【発明の効果】
以上説明してきたように本発明によれば、構成が簡単，かつ取付作業を容易にしてリード線引き出し穴に巻線からの漏れ磁束が穴周辺部に集中せず、リード線引き出し穴周辺の局部過熱を充分に防止することが可能なこの種の静止誘導電器を得ることができる。
【図面の簡単な説明】
【図１】本発明の静止誘導電器の一実施例を示す縦断側面図および静止誘導電器のタンク内側から見た正面図である。
【図２】本発明の静止誘導電器の他の実施例の要部を示す正面図である。
【図３】従来の静止誘導電器の磁気シールドの要部を示す正面図である。
【符号の説明】
１…タンク、１ａ…タンク側壁、２…磁性の磁気シールド板、３…巻線、４…リード線、５…リード線引き出し穴、６…鉄心、１０…漏れ磁束、３０…良導電性の磁気シールド板。
【図１】
0003668013.tif 000002
【図２】
0003668013.tif 000003
【図３】
0003668013.tif 000004